(57)【要約】      （修正有）【課題】  簡易な構成で、防犯性を向上できるシリンダ錠のコンストラクション装置を提供する。【解決手段】  工事期間中に使用されるコンストラクションマスターキーと、工事完了後に使用されるオーナーキー８とを備え、オーナーキーには、工事完了後にコンストラクションマスターキーによりシリンダプラグ６を１８０°回動させた後において少なくとも一ケ所のコラムのプラグ穴および胴穴の位置が一致した状態で全てのコラム１０，１０’、１１，１１’のプラグ穴４ａ，５ａおよび胴穴４，５の位置が一致すると共に、全てのコラムの上下タンブラ２０，２１に対応する鍵山３０，３１，３３，３４，３５，３６、３０ａ，３７，３８，３９，４０が設けられ、それによって、工事完了後においては、全てのコラムにおける上下タンブラが前記鍵山に応じて作動して上下タンブラの境界がシャーラインに一致してシリンダプラグが回動される構成とした。【選択図】    図１６
2005076286.tif 000002
【特許請求の範囲】
【請求項１】
シリンダ胴およびこのシリンダ胴の内部に軸芯まわりに回動可能に収容されるシリンダプラグを有し、シリンダ胴およびシリンダプラグの長手方向に形成される左右一対の対向するコラムにそれぞれ上下タンブラを嵌装してあり、下タンブラと上タンブラとの境界、または、上タンブラの下タンブラ側の端面が、シリンダ胴とシリンダプラグとのシャーラインに一致するときにシリンダプラグが回動するよう構成されたシリンダ錠と、工事期間中においてシリンダ錠の施解錠操作のために使用されるコンストラクションマスターキーと、工事完了後にコンストラクションマスターキーによってシリンダプラグを１８０°回動させた後においてコンストラクションマスターキーに代えてシリンダ錠の施解錠操作のために使用されるオーナーキーとを備え、工事期間中は、シリンダプラグを１８０°未満の範囲でコンストラクションマスターキーを回動させるよう構成されており、前記各コラムは、シリンダプラグに設けたプラグ穴とシリンダ胴に設けた胴穴とから構成されており、プラグ穴には下タンブラが設けられ、胴穴には上タンブラが設けられており、更に、コンストラクションマスターキーには、全てのコラムのうち、プラグ穴と胴穴との位置が一致する少なくとも一ケ所のコラムの上下タンブラに対応する鍵山が設けられ、工事期間中においては、前記少なくとも一ケ所のコラムの上下タンブラがコンストラクションマスターキーの鍵山に応じて作動して上下タンブラの境界がシリンダ胴とシリンダプラグとのシャーラインに一致すると共に、残りのコラムのプラグ穴と胴穴の位置が不一致の状態で上タンブラは胴穴内に位置しながら上タンブラにおける下タンブラ側の端面が前記シャーラインに一致し、かつ、下タンブラはプラグ穴内に位置しながらシリンダプラグが回動される一方、オーナーキーには、工事完了後にコンストラクションマスターキーによりシリンダプラグを１８０°回動させた後において前記少なくとも一ケ所のコラムのプラグ穴および胴穴の位置が一致した状態で全てのコラムのプラグ穴および胴穴の位置が一致すると共に、全てのコラムの上下タンブラに対応する鍵山が設けられ、それによって、工事完了後においては、全てのコラムにおける上下タンブラがオーナーキーの鍵山に応じて作動して上下タンブラの境界がシャーラインに一致してシリンダプラグが回動されるようにしてなることを特徴とするシリンダ錠のコンストラクション装置。
【発明の詳細な説明】
【技術分野】
【０００１】
この発明は、例えば分譲マンションや一戸建て住宅などの建築工事中において建築工事完了までの間、ドアに設けたシリンダ錠の施解錠操作にはコンストラクションマスターキー（工事用マスターキー）が用いられ、建築工事完了後はコンストラクションマスターキーによりシリンダプラグを１８０°回動させ、シリンダ錠からコンストラクションマスターキーを抜き取った後はオーナーキー（居住者用キーまたは子鍵とも言う）のみの使用が可能となり、コンストラクションマスターキーの使用は不可能となるように構成されたシリンダ錠のコンストラクション装置に関する。
【背景技術】
【０００２】
一般的なコンストラクション装置として、シリンダ胴８０およびシリンダプラグ８１の複数のコラムにそれぞれ上下タンブラ８２，８３を挿入し、図３０（Ａ）に示すような一部の上下タンブラ８２，８３の間に球形の補助タンブラ８４を介在させ、幅の狭いコンストラクションマスターキー（工事用マスターキー）８５を使用し、建築工事完了後はこれよりも幅の広い図３０（Ｂ）、図３０（Ｃ）に示すようなオーナーキー８６を使用できるようにしたものがある。そして、オーナーキー８６は、コンストラクションマスターキー（工事用マスターキー）８５の幅に比して前記補助タンブラ８４の直径に相当する分だけ幅が広くなっており、図３０（Ｂ）に示すように、オーナーキー８６を鍵穴８１ａに挿入すると前記補助タンブラ８４がシリンダ胴８０でスプリング８７の付勢力に抗しながら移動する。そして、この状態でオーナーキー８６を矢印ａ方向に回動させ、シリンダプラグ８１の孔８１ｂが補助タンブラ８４に対応する位置まで回動させた時、補助タンブラ８４は孔８１ｂ内に落ち込んで収容される。そして、再びオーナーキー８６を元の状態に戻すと、前記補助タンブラ８４はシリンダプラグ８１の孔８１ｂに嵌まり込んでいるため、シリンダの編成が変わり、シリンダ錠８８を交換しなくても幅の狭いコンストラクションマスターキー（工事用マスターキー）８５では施解錠操作できない。
【発明の開示】
【発明が解決しようとする課題】
【０００３】
一方、ディンプルキーを使用してシリンダ錠を交換することなく、以前使用していたキーのコード変更を行うものとして、図３１、図３２に示すように、シリンダプラグ１００のプラグ穴１０１に設けた下タンブラ１０２と、シリンダ胴１０３の胴穴１０４に設けた上タンブラ１０５との間に上タンブラ１０５の直径よりも小径に形成されるコード変更部材（チェンジピン）１０６を挿入してシリンダ錠１０７を構成し、シリンダプラグ１００に設けた鍵穴１０８に下タンブラ１０２が接触する複数の凹み（ディンプル）１０９（図３２参照）と、コード変更部材（チェンジピン）１０６が嵌入する切欠孔１１１とが形成された新たなキー１１０を設け、この新たなキー１１０を図３１（Ａ）に示すように鍵穴１０８に挿入し、この状態から図３１（Ｂ）の矢印方向にシリンダプラグ１００を回動させると、上タンブラ１０５の端面がシリンダ胴１０３とシリンダプラグ１００とのシャーラインより内側に入らない状態で、キー１１０の切欠孔１１１にコード変更部材（チェンジピン）１０６が嵌入し、この状態から、図３１（Ｃ）の矢印方向にシリンダプラグ１００を回動させ、この状態からキー１１０をシリンダプラグ１００から引き抜くとキー１１０と共にコード変更部材（チェンジピン）１０６がシリンダプラグ１００より除去されるように構成されたものがある。
【特許文献１】特公平７−４５７８７号公報
【０００４】
しかし、以前使用していたキーから新たなキー１１０を容易に予想でき易いことや、鍵違いが多く取れないなど防犯性に問題があった。
【０００５】
この発明は、上述の事柄に留意してなされたもので、その目的は、簡易な構成で、防犯性を向上できるシリンダ錠のコンストラクション装置を提供することである。
【課題を解決するための手段】
【０００６】
上記目的を達成するために、この発明のシリンダ錠のコンストラクション装置は、シリンダ胴およびこのシリンダ胴の内部に軸芯まわりに回動可能に収容されるシリンダプラグを有し、シリンダ胴およびシリンダプラグの長手方向に形成される左右一対の対向するコラムにそれぞれ上下タンブラを嵌装してあり、下タンブラと上タンブラとの境界、または、上タンブラの下タンブラ側の端面が、シリンダ胴とシリンダプラグとのシャーラインに一致するときにシリンダプラグが回動するよう構成されたシリンダ錠と、工事期間中においてシリンダ錠の施解錠操作のために使用されるコンストラクションマスターキー（以下、ＣＭＫという）と、工事完了後にＣＭＫによってシリンダプラグを１８０°回動させた後においてＣＭＫに代えてシリンダ錠の施解錠操作のために使用されるオーナーキー（以下、ＯＷＫという）とを備え、工事期間中は、シリンダプラグを１８０°未満の範囲でＣＭＫを回動させるよう構成されており、前記各コラムは、シリンダプラグに設けたプラグ穴とシリンダ胴に設けた胴穴とから構成されており、プラグ穴には下タンブラが設けられ、胴穴には上タンブラが設けられており、更に、ＣＭＫには、全てのコラムのうち、プラグ穴と胴穴との位置が一致する少なくとも一ケ所のコラムの上下タンブラに対応する鍵山が設けられ、工事期間中においては、前記少なくとも一ケ所のコラムの上下タンブラがＣＭＫの鍵山に応じて作動して上下タンブラの境界がシリンダ胴とシリンダプラグとのシャーラインに一致すると共に、残りのコラムのプラグ穴と胴穴の位置が不一致の状態で上タンブラは胴穴内に位置しながら上タンブラにおける下タンブラ側の端面が前記シャーラインに一致し、かつ、下タンブラはプラグ穴内に位置しながらシリンダプラグが回動される一方、ＯＷＫには、工事完了後にＣＭＫによりシリンダプラグを１８０°回動させた後において全てのコラムのプラグ穴および胴穴の位置が一致すると共に、全てのコラムの上下タンブラに対応する鍵山が設けられ、それによって、工事完了後においては、全てのコラムにおける上下タンブラがＯＷＫの鍵山に応じて作動して上下タンブラの境界がシャーラインに一致してシリンダプラグが回動されることを特徴とする。
【発明の効果】
【０００７】
この発明では、工事期間中において、シリンダプラグを１８０°未満の範囲でＣＭＫを回動させるようにし、ＣＭＫの使用中において、全てのコラムのうち、胴穴とプラグ穴との位置が一致する少なくとも一ケ所のコラムで鍵違いに作用するように、また、胴穴とプラグ穴との位置が一致しない残りのコラムで鍵違いに作用しないように、ＣＭＫにコラムの上下タンブラに対応する鍵山を設け、工事完了後にＣＭＫによりシリンダプラグを１８０°回動させた後においては、全てのコラムの胴穴とプラグ穴との位置が一致するようにし、また、ＯＷＫには、ＣＭＫと同じ鍵山と、ＣＭＫでシリンダプラグを１８０°回動させた後の前記残りのコラムの上下タンブラに対応する鍵山とを設けたので、従来に比して、ＣＭＫからＯＷＫを容易に予想できなくなり、また、鍵違いを多く設けることができるので防犯性を向上できる。
【発明を実施するための最良の形態】
【０００８】
以下、この発明の実施形態を、図を参照しながら説明する。なお、それによってこの発明は限定されるものではない。
【０００９】
図１〜図２５は、この発明の一実施形態を示す。シリンダ錠のコンストラクション装置は、図８に示す筒状のシリンダ胴２およびこのシリンダ胴２の内部に軸芯まわりに回動可能に収容される有底筒状のシリンダプラグ６（図９参照）を有するシリンダ錠１であって、コンストラクションマスターキー１２と、オーナーキー８とを備えている。図１３、図１４に示す如くシリンダ錠１には、シリンダ胴２およびシリンダプラグ６の長手方向に形成される左右一対の対向するコラム１０，１０’、１１，１１’にそれぞれ上タンブラ２０と下タンブラ２１を嵌装してあり、下タンブラ２１と上タンブラ２０との境界、または、上タンブラ２０の下タンブラ側の端面Ｍが、シリンダ胴２とシリンダプラグ６とのシャーラインに一致するときにシリンダプラグ６が回動するようシリンダ錠１は構成されている。コンストラクションマスターキー（以下、ＣＭＫという）１２は、工事期間中においてシリンダ錠１の施解錠操作のために使用され、その回動操作角度の範囲は１８０°未満の範囲となっている。また、オーナーキー（以下、ＯＷＫという）８は、工事完了後にＣＭＫ１２によってシリンダプラグ６を１８０°回動させた後においてＣＭＫ１２に代えてシリンダ錠１の施解錠操作のために使用される。
【００１０】
前記シリンダ胴２は、長手方向が軸芯に沿っており、径方向における左右の位置にそれぞれ長手方向に沿う形で複数個の胴穴（例えば七つの胴穴）４，５が設けられている。両矢印ａは左右方向を示す。そして、キー差し込み側の長手方向に沿う例えば左右二列のそれぞれ対向する左右の胴穴４，４同士は、同軸上に位置する一方、長手方向に沿う残りの左右五列の計十個の胴穴５は対向する左右の胴穴５，５同士がそれぞれ同軸上に配列されていない。例えば、図８（Ａ）に示すように、対向する左右の胴穴５，５において、右の胴穴５の軸線Ｘ1 から幅Δだけキー差し込み側とは反対の方向（矢印ｅ方向）へずれた位置に左の胴穴５の軸線Ｙ1 が設定されている。
シリンダプラグ６は長手方向が軸芯に沿っている。シリンダプラグ６には、その長手方向にわたり形成された切欠によって鍵穴７が形成されている。シリンダプラグ６は、径方向における左右の位置にそれぞれ長手方向に沿う形で複数個のプラグ穴（例えば七つのプラグ穴）４ａ，５ａが設けられている。そして、キー差し込み側の長手方向に沿う例えば二列のそれぞれ対向する左右のプラグ穴４ａ，４ａ同士は、同軸上に位置する一方、長手方向に沿う残りの左右五列の計十個のプラグ穴５ａは対向する左右のプラグ穴５ａ，５ａ同士がそれぞれ同軸上に配列されていない。すなわち、図９（Ａ）に示すように、対向する左右のプラグ穴５ａ，５ａにおいて、右のプラグ穴５ａの軸線Ｘ2 から幅Δだけキー差し込み側とは反対の方向（矢印ｅ方向）へずれた位置に左のプラグ穴５ａの軸線Ｙ2 が設定されている。
【００１１】
なお、この実施形態では七つのそれぞれ胴穴４，５およびプラグ穴４ａ，５ａを示しているが、七つに限らない。また、二つのそれぞれ同軸上に位置する胴穴４およびプラグ穴４ａを示しているが、二つに限らない。また、胴穴４と胴穴５の配置は図８（Ａ）に示すような構成だけではなく、例えば胴穴５，５間に胴穴４が位置するというように適宜任意に設定できる。また、プラグ穴４ａとプラグ穴５ａの配置は図９（Ａ）に示すような構成だけではなく、例えばプラグ穴５ａ，５ａ間にプラグ穴４ａが位置するというように適宜任意に設定できる。
【００１２】
図１３（Ａ）は、鍵穴７の開放端７ａを上方に向けた状態でシリンダプラグ６をシリンダ胴２の内部に収容した状態を示す。左のコラム１０と右のコラム１０’は長手方向に沿って二列設けられている。この左のコラム１０と右のコラム１０’においては、胴穴４とプラグ穴４ａとの位置が一致しており、胴穴４には、上タンブラ２０とこの上タンブラ２０を鍵穴７側に付勢するスプリング２２が設けられ、プラグ穴４ａには、上タンブラ２０を介して鍵穴７側に付勢された下タンブラ２１が設けられている。図１０に、三種類の異なるタイプ（長さ）の下タンブラ２１、上タンブラ２０およびスプリング２２を示す。
また、左のコラム１１と右のコラム１１’は長手方向に沿って五列設けられている。この左のコラム１１と右のコラム１１’においては、胴穴４とプラグ穴４ａとの位置が一致しておらず、上タンブラ２０は胴穴４内に位置し、上タンブラ２０における下タンブラ側の端面Ｍが前記シャーラインに一致している。また、下タンブラ２１はプラグ穴５ａ内に位置している。すなわち、胴穴４内の上タンブラ２０は胴穴４内に設けたスプリング２２で鍵穴７側に付勢されているが、上タンブラ２０の前記端面Ｍがシリンダプラグ６の外周面６ａに当たってプラグ穴５ａ内へ移動するのが阻止されており、また、プラグ穴５ａ内の下タンブラ２１は、コラム１０，１０’の下タンブラ２１のように上タンブラ２０を介して鍵穴７側に付勢されていないので、プラグ穴５ａ内で遊びの状態にある。
【００１３】
ＣＭＫ１２には、左右全ての１４個のコラム１０，１１、１０’，１１’のうち、プラグ穴４ａと胴穴４との位置が一致する左右二ケ所のコラム１０、１０’の上タンブラ２０と下タンブラ２１に対応する鍵山３０，３１、３０ａ〔図６（Ｂ）、図１４（Ａ）参照〕が右面と左面に設けられている。この実施形態では、ＣＭＫ１２として、開放端７ａを上方に向けた状態の鍵穴７〔図１３（Ｂ）、図１３（Ｃ）参照〕に表または裏向きのどちらの向きに差し込んでもシリンダ錠１を操作することができるようにした、所謂リバーシブルタイプのキーが用いられている。なお、ＣＭＫ１２は、図６（Ｂ）に示すように、ＣＭＫ１２の長手方向に形成された長溝３２を右面と左面に有し、シリンダプラグ６に形成された鍵穴７の開放端７ａを上方に向けた状態で差し込まれる。
例えば分譲マンションや一戸建て住宅などの建築工事期間中においては、開放端７ａを上方に向けた状態の鍵穴７にＣＭＫ１２を差し込むと、図１４に示すように、例えば右の二ケ所（一列目と二列目）のコラム１０’，１０’の上下タンブラ２０，２１がＣＭＫ１２の鍵山３０，３１に応じて作動するとともに、例えば左の一ケ所（一列目）のコラム１０の上下タンブラ２０，２１がＣＭＫ１２の鍵山３０ａに応じて作動して上下タンブラ２０，２１の境界がシリンダ胴２とシリンダプラグ６とのシャーラインに一致すると共に、残りの左右五列のコラムのプラグ穴５ａと胴穴５の位置が不一致の状態で上タンブラ２０は胴穴５内に位置しながら上タンブラ２０における下タンブラ側の端面Ｍが前記シャーラインに一致し、かつ、下タンブラ２１はプラグ穴５ａ内に位置した状態であるのでＣＭＫ１２によってシリンダプラグ６を回動できる。なお、図１３（Ａ）に示すように、コラム１１，１１’の下タンブラ２１はプラグ穴５ａ内で遊びの状態にあるとともに、この左右の下タンブラ２１を仕切る形でＣＭＫ１２に設けた長溝３２を介してＣＭＫ１２を差し込むことができるので、ＣＭＫ１２の差し込み動作が損なわれることはない。
【００１４】
ところで、前記建築工事期間中は、シリンダプラグ６を１８０°未満の範囲でＣＭＫ１２を回動させるよう構成されている。すなわち、シリンダ錠１と共に動く図１、図２４に示すようなシリンダバー４２が、錠本体９９のデッドハブ４１（図２４参照）に挿入されて施解錠操作がおこなわれるが、デッドハブ４１が施錠動作〔図２４（Ａ）参照〕と解錠動作〔図２４（Ｂ）参照〕において１８０°未満の範囲、例えば左右例えば９０°しか回らないよう構成されており、この実施形態ではＣＭＫ１２を図２４（Ａ）の状態から左方向に９０°回して解錠した後、ＣＭＫ１２を９０°元に戻して抜く〔図２４（Ｂ）参照〕。この時、デッドハブ４１は解錠状態が保持される。したがって、建築工事期間中にはＣＭＫ１２が例えば左右９０°しか回らず、シリンダプラグを１８０°回動させることはない。その他、図１において、４０はサムターンで、５２はサムターンバーである。サムターンバー５２は断面が十字形を有しており、デッドハブ４１には遊びが無い状態で係入される。建築工事期間中は、上述したように、シリンダプラグ６に形成された鍵穴７の開放端７ａが上方に向いている〔図１１（Ｄ）参照〕。そして、建築工事完了後は、サムターン４０およびシリンダ錠１をドア４５（図１、図２参照）から一時取り外し、取り外されたシリンダ錠１をＣＭＫ１２によってシリンダプラグ６を１８０°回動させて鍵穴７の開放端７ａを下方に向いた状態にし〔図１２（Ｄ）参照〕、ＣＭＫ１２を抜く〔図１５（Ａ）参照〕。すなわち、ＣＭＫ１２によってシリンダプラグ６を図１３の状態から１８０°回動させて、図１５（Ｂ）、図１５（Ｃ）の如く、鍵穴７の開放端７ａを下方に向け、ＣＭＫ１２を抜くと図１５（Ａ）に示すように、残りの左右五列のコラム１１，１１’のプラグ穴５ａと胴穴５の位置も一致するので、下タンブラ２１は全てスプリング２２の付勢力によってプラグ穴４ａ内に移動する。この状態で、鍵穴７にＣＭＫ１２を差し込んでも、図２０（Ａ）に示すように、前記左右二ケ所のコラム１０，１０’における上下タンブラ２０，２１がＣＭＫ１２の鍵山３０，３１、３０ａに応じて作動するだけで、残りの左右五列のコラム１１，１１’では、ＣＭＫ１２の長溝３２にコラム１１，１１’の下タンブラ２１が当接しているだけでコラム１１，１１’の上下タンブラ２０，２１の境界、または、コラム１１，１１’の上タンブラ２０の下タンブラ側の端面Ｍが前記シャーラインに一致しておらず、ＣＭＫ１２でシリンダプラグを回動させることはできなくなる。
そして、取り外されたシリンダ錠１を再度ドア４５に取り付ける。建築工事完了後にＣＭＫ１２によってシリンダプラグ６を１８０°回動させた後においてＣＭＫ１２に代えてシリンダ錠１の施解錠操作のためにＯＷＫ８が使用される。
なお、図２４、図２５、図７において、４７は、デッド、４８は、カマである。図１、図２において、４９は、つまみ、５０は、サムターン座、５１は、取付柱、５２は、サムターン軸である。また、図７において、５３は、取付柱５１の挿入穴である。また、図４において、５４は、サムターン座５０の取り付けネジである。
【００１５】
建築工事完了後にＣＭＫ１２によりシリンダプラグ６を１８０°回動させた後においては、残りの左右五列のコラム１１，１１’のプラグ穴５ａと胴穴５の位置も一致し、前記左右二ケ所のコラム１０，１０’のプラグ穴４ａおよび胴穴４の位置が一致した状態である。そして、前記ＯＷＫ８には、プラグ穴４ａ，５ａおよび胴穴４，５の位置が一致する全てのコラム１０，１０’、１１，１１’の上下タンブラ２０，２１に対応する鍵山３０，３１，３３，３４，３５，３６、３０ａ，３７，３８，３９，４０が設けられている。この実施形態では、ＯＷＫ８として、鍵穴７に表または裏向きのどちらの向きに差し込んでもシリンダ錠１を操作することができるようにした、所謂リバーシブルタイプのキーが用いられている。
そのため、建築工事完了後においては、開放端７ａが下方に向いた状態の鍵穴７に、図１６に示すように、ＯＷＫ８を差し込むと、全てのコラム１０，１０’、１１，１１’における上下タンブラ２０，２１がＯＷＫ８の鍵山３０，３１，３３，３４，３５，３６、３０ａ，３７，３８，３９，４０に応じて作動して上下タンブラ２０，２１の境界、または、上タンブラ２０の下タンブラ側の端面Ｍが前記シャーラインに一致してシリンダプラグ６を回動できる。
【００１６】
このように、建築工事期間中は、シリンダプラグを１８０°未満の範囲でＣＭＫ１２を回動させるようにし、建築工事完了後は、ＣＭＫ１２またはＯＷＫ８でシリンダプラグ６を回動するようにし、ＣＭＫ１２の使用中においては、胴穴４とプラグ穴４ａとの位置が一致しないコラム１１，１１’で鍵違いに作用しないように、また、胴穴４とプラグ穴４ａとの位置が一致するコラム１０，１０’で鍵違いに作用するように、ＣＭＫ１２にコラム１０，１０’の上下タンブラ２０，２１に対応する鍵山３０，３１、３０ａを設け、建築工事完了後にＣＭＫ１２によりシリンダプラグ６を１８０°回動させた後においては、コラム１１，１１’の胴穴４とプラグ穴４ａとの位置が一致するようにし、また、ＯＷＫ８には、ＣＭＫ１２と同じ鍵山３０，３１、３０ａと、ＣＭＫ１２によりシリンダプラグ６を１８０°回動させた後のコラム１１，１１’の上下タンブラ２０，２１に対応する鍵山３３，３４，３５，３６、３７，３８，３９，４０とを設けたので、従来に比して、ＣＭＫ１２からＯＷＫ８を容易に予想できなくなること、また、鍵違いを多く取ることができるなど防犯性を著しく向上できる。
【００１７】
なお、ＣＭＫ１２とＯＷＫ８にはいずれも、キー１２，８を完全に鍵穴７内に差し込まないとシリンダプラグ６が回らないように、キー１２，８やシリンダ胴２およびシリンダプラグ６にそれぞれ感知穴６５，６２，６６が設けられるとともに、係止ピン６９が設けられている。そして、キー１２，８が不完全に差し込まれた状態では、図２２に示すように、キー１２，８に設けた感知穴６５に係止ピン６９の一方端部が嵌まり込まず、感知穴６２，６６にまたがり位置し、シリンダプラグ６は回らない。そして、キー１２，８が完全に差し込まれた状態では、図２３に示すように、前記感知穴６５に係止ピン６９の一方端部が嵌まり込んで、係止ピン６９の他方端部が感知穴６２を抜けるよう動作する。
【００１８】
また、図１３（Ｅ）において、７０は、シリンダ胴２およびシリンダプラグ６〔図１９（Ｅ）参照〕にそれぞれ設けたクリック用の穴で、７１は、クリック用のボールである。  
【００１９】
以上、シリンダ胴２の左右に胴穴を設けたものを示した。図２６〜図２９は、シリンダ胴２の左右以外に上部にも胴穴を設けたこの発明の他の実施形態を示す。なお、図２６〜図２９において、図１〜図２５に示した符号と同一のものは同一または相当物である。
【００２０】
図２６〜図２９において、図２６および図２７は、それぞれ、建築工事期間中において、ＣＭＫ１２が、開放端７ａを上方に向けた鍵穴７に差し込まれている状態を示し、図２６（Ａ）は、図１４（Ａ）に対応し、図２６（Ｂ）は、図１４（Ｃ）に対応し、図２７（Ａ）は、図１４（Ｄ）に対応し、図２７（Ｂ）は、図１４（Ｆ）に対応している。また、図２８および図２９は、それぞれ、建築工事完了後においてＣＭＫ１２によってシリンダプラグ６を１８０°回動した後、ＯＷＫ８が、開放端７ａを下方に向けた鍵穴７に差し込まれている状態を示し、図２８（Ａ）は、図１６に対応し、図２８（Ｂ）は、図１７に対応し、図２９（Ａ）は、図１９（Ａ）に対応し、図２９（Ｂ）は、図１９（ｂ）に対応している。
【００２１】
図２７（Ａ）に示すように、シリンダ胴２の上部には、長手方向に複数個の胴穴（例えば七つの胴穴）４５が設けられ、また、シリンダプラグ６は、プラグ穴４ａ，５ａ以外にプラグ穴４ａ，５ａとは円周角で約９０°の間隔を持った位置で鍵穴７を形成する前記切欠に対向する位置に長手方向に沿って複数個のプラグ穴（例えば七つのプラグ穴）４５ａが設けられており、各胴穴４５には、スプリング２２’とこのスプリング２２’で鍵穴７側に付勢されている上タンブラ２０’が設けられ、各プラグ穴４５ａには、下タンブラ２１’が遊び状態で設けられている。上タンブラ２０’の鍵穴７側の端面Ｎはシリンダ胴２とシリンダプラグ６とのシャーラインに一致している。図２７（Ａ）は、建築工事期間中において、開放端７ａを上方に向けた状態の鍵穴７にＣＭＫ１２を差し込んだときのＣＭＫ１２と上タンブラ２０’と下タンブラ２１’の位置関係を示している。そして、上記実施形態で詳述したように、図２６（Ａ）に示すように、下タンブラ２１と上タンブラ２０との境界、または、上タンブラ２０の下タンブラ側の端面Ｍが、シリンダ胴２とシリンダプラグ６とのシャーラインに一致しており、かつ、上タンブラ２０’の鍵穴７側の端面Ｎもシャーラインに一致しているので、ＣＭＫ１２でシリンダプラグ６を回動させることができ、シリンダ錠１のＣＭＫ１２による施解錠操作が行われる。そして、建築工事完了後にＣＭＫ１２によりシリンダプラグ６を１８０°回動させた後、開放端７ａが下方に向いた状態の鍵穴７に、図２８（Ａ）に示すように、ＯＷＫ８を差し込んでシリンダプラグ１を回動できる。この場合、シリンダプラグ６の１８０°回動に伴いプラグ穴４５ａも１８０°回動する。そして、胴穴４５とプラグ穴４５ａの位置が一致し、図２８および図２９に示すような状態になる。そして、下タンブラ２１と上タンブラ２０との境界、または、上タンブラ２０の下タンブラ側の端面Ｍが、シリンダ胴２とシリンダプラグ６とのシャーラインに一致しており、かつ、ＯＷＫ８には上下タンブラ２０’，２１’に対応する鍵山９０が設けられており、下タンブラ２１’と上タンブラ２０’との境界が、シリンダ胴２とシリンダプラグ６とのシャーラインに一致しているので、シリンダ錠１のＯＷＫ８による施解錠操作が可能である。
【００２２】
なお、９０は、シリンダ胴２〔図２６（Ａ）、図２８（Ａ）参照〕に設けたクリック用の穴で、クリック用のボール７１とこのボール７１を鍵穴７側に付勢するスプリング９１が設けられている。また、リンダプラグ６は、クリック用の穴９０に対応する位置に、ボール７１に係合する係合面を有する嵌挿部材９２が嵌挿された嵌挿穴９３を有する。そして、これらクリック用のボール７１、スプリング９１および嵌挿部材９２とで、シリンダプラグ６の回動時において、ＣＭＫ１２およびＯＷＫ８の鍵穴７へ抜き差し可能な状態に安定保持させることができるクリック機構が構成される。
【００２３】
この実施形態でも、従来に比して、ＣＭＫ１２からＯＷＫ８を容易に予想できなくなること、また、鍵違いを多くできるなど防犯性を著しく向上できる。
【図面の簡単な説明】
【００２４】
【図１】この発明の一実施形態で用いるシリンダーを上面側からみた構成説明図である。
【図２】上記実施形態で用いるシリンダの側面側からみた構成説明図である。
【図３】（Ａ）は、上記実施形態で用いたシリンダ錠の工事期間中ＣＭＫ使用時における状態を示す正面図である。（Ｂ）は、上記実施形態で用いたシリンダ錠の工事完了後ＣＭＫによって１８０°回動し、ＯＷＫ使用時における状態を示す正面図である。
【図４】上記実施形態で用いる錠のサムターンを示す正面図である。
【図５】（Ａ）および（Ｂ）は、それぞれ、上記実施形態で用いたＯＷＫを示す正面図および側面図である。
【図６】（Ａ）および（Ｂ）は、それぞれ、上記実施形態で用いたＣＭＫを示す正面図および側面図である。
【図７】（Ａ）、（Ｂ）および（Ｃ）は、それぞれ、上記実施形態で用いた錠本体を示す平面図、正面図および側面図である。
【図８】（Ａ）、（Ｂ）、（Ｃ）および（Ｄ）は、それぞれ、上記実施形態で用いたシリンダ胴を示す横断面図、図８（Ａ）におけるＢ−Ｂ断面図、上記実施形態で用いたシリンダ胴を示す縦断面図および図８（Ｃ）におけるＡ−Ａ断面図である。
【図９】（Ａ）、（Ｂ）、（Ｃ）、（Ｄ）、（Ｅ）および（Ｆ）は、それぞれ、上記実施形態で用いたシリンダプラグを示す横断面図、図９（Ａ）におけるＢ−Ｂ断面図、上記実施形態で用いたシリンダプラグを示す正面図、上記実施形態で用いたシリンダプラグを示す縦断面図、図９（Ｄ）におけるＡ−Ａ断面図および上記実施形態で用いたシリンダプラグを示す上面図である。
【図１０】（Ａ）、（Ｂ）および（Ｃ）は、それぞれ、上記実施形態で用いたコラム内に収容される上、下タンブラおよびスプリングの第１種類目を示す構成説明図、上記実施形態で用いたコラム内に収容される上、下タンブラおよびスプリングの第２種類目を示す構成説明図および上記実施形態で用いたコラム内に収容される上、下タンブラおよびスプリングの第３種類目を示す構成説明図である。
【図１１】（Ａ）、（Ｂ）、（Ｃ）および（Ｄ）は、それぞれ、上記実施形態で用いられ、シリンダ錠のＣＭＫ使用時における状態を示す背面図、上面図、下面図および正面図である。
【図１２】（Ａ）、（Ｂ）、（Ｃ）および（Ｄ）は、それぞれ、上記実施形態で用いられ、シリンダ錠のＯＷＫ使用時における状態を示す背面図、上面図、下面図および正面図である。
【図１３】（Ａ）、（Ｂ）、（Ｃ）、（Ｄ）、（Ｅ）および（Ｆ）は、それぞれ、上記実施形態で用いたシリンダ錠においてＣＭＫを鍵穴から抜いた状態を示す横断面図、図１３（Ａ）におけるＸ−Ｘ断面図、図１３（Ａ）におけるＹ−Ｙ断面図、上記実施形態で用いたシリンダ錠を示す縦断面図、図１３（Ｄ）におけるＡ−Ａ断面図および図１３（Ｄ）におけるＣ−Ｃ断面図である。
【図１４】（Ａ）、（Ｂ）、（Ｃ）、（Ｄ）、（Ｅ）および（Ｆ）は、それぞれ、上記実施形態で用いたシリンダ錠においてＣＭＫを鍵穴に差し込んだ状態を示す横断面図、図１４（Ａ）におけるＸ−Ｘ断面図、図１４（Ａ）におけるＹ−Ｙ断面図、上記実施形態で用いたシリンダ錠を示す縦断面図、図１４（Ｄ）におけるＡ−Ａ断面図および図１４（Ｄ）におけるＣ−Ｃ断面図である。
【図１５】（Ａ）、（Ｂ）、（Ｃ）、（Ｄ）、（Ｅ）および（Ｆ）は、それぞれ、上記実施形態で用いたシリンダ錠においてＣＭＫを鍵穴に差し込んでシリンダプラグを１８０°回動させ、鍵穴の開放端を下方に向けた状態でＣＭＫを鍵穴から抜いた状態を示す横断面図、図１５（Ａ）におけるＸ−Ｘ断面図、図１５（Ａ）におけるＹ−Ｙ断面図、上記実施形態で用いたシリンダ錠を示す縦断面図、図１５（Ｄ）におけるＡ−Ａ断面図および図１５（Ｄ）におけるＣ−Ｃ断面図である。
【図１６】上記実施形態で用いたシリンダ錠の図１５の状態においてＯＷＫを鍵穴に差し込んだ状態を示す横断面図である。
【図１７】図１６におけるＸ−Ｘ断面図である。
【図１８】図１６におけるＹ−Ｙ断面図である。
【図１９】（Ａ）、（Ｂ）および（Ｃ）は、それぞれ、上記実施形態で用いたシリンダ錠においてＯＷＫを鍵穴に差し込んだ状態を示す横断面図、図１９（Ａ）におけるＡ−Ａ断面図および図１９（Ａ）におけるＣ−Ｃ断面図である。
【図２０】（Ａ）、（Ｂ）および（Ｃ）は、それぞれ、上記実施形態で用いたシリンダ錠においてＯＷＫを鍵穴から抜いてＣＭＫを鍵穴に差し込んだ状態を示す横断面図、図２０（Ａ）におけるＸ−Ｘ断面図および図２０（Ａ）におけるＹ−Ｙ断面図である。
【図２１】（Ａ）、（Ｂ）および（Ｃ）は、それぞれ、上記実施形態で用いたシリンダ錠においてＯＷＫを鍵穴から抜いてＣＭＫを鍵穴に差し込んだ状態を示す縦断面図、図２１（Ａ）におけるＡ−Ａ断面図および図２０（Ａ）におけるＣ−Ｃ断面図である。
【図２２】（Ａ）および（Ｂ）は、それぞれ、上記実施形態で用いたシリンダ錠の回転位置制御機構を示す縦断面図および図２２（Ａ）におけるＣ−Ｃ断面図である。
【図２３】（Ａ）、（Ｂ）および（Ｃ）は、それぞれ、上記実施形態で用いたシリンダ錠のクリック機構ならびに回転位置制御機構を示す縦断面図、図２３（Ａ）におけるＡ−Ａ断面図および図２３（Ａ）におけるＣ−Ｃ断面図である。
【図２４】（Ａ）および（Ｂ）は、それぞれ、上記実施形態で用いたＣＭＫの使用時の回転規制機構を用いて施錠したときおよび解錠したときの状態を示す構成説明図である。
【図２５】（Ａ）および（Ｂ）は、それぞれ、上記実施形態で用いたＯＷＫの使用時の回転規制機構を用いて施錠したときおよび解錠したときの状態を示す構成説明図である。
【図２６】（Ａ）および（Ｂ）は、それぞれ、この発明の他の実施形態で用いるシリンダ錠にＣＭＫを差し込んだ状態を示す横断面図および図２６（Ａ）におけるＹ−Ｙ断面図である。
【図２７】（Ａ）および（Ｂ）は、それぞれ、上記他の実施形態で用いるシリンダ錠にＣＭＫを差し込んだ状態を示す縦断面図および図２７（Ａ）におけるＹ−Ｙ断面図である。
【図２８】（Ａ）および（Ｂ）は、それぞれ、この発明の他の実施形態で用いるシリンダ錠にＯＷＫを差し込んだ状態を示す横断面図および図２８（Ａ）におけるＹ−Ｘ断面図である。
【図２９】（Ａ）および（Ｂ）は、それぞれ、上記他の実施形態で用いるシリンダ錠にＯＷＫを差し込んだ状態を示す縦断面図および図２９（Ａ）におけるＸ−Ｘ断面図である。
【図３０】（Ａ）、（Ｂ）および（Ｃ）は、それぞれ、従来例においてシリンダ錠にＣＭＫを差し込んだ状態を示す縦断面図、従来例においてシリンダ錠にＯＷＫを差し込んだ状態を示す縦断面図および従来例においてＯＷＫを抜いた後にシリンダ錠にＣＭＫを差し込んだ状態を示す縦断面図である。
【図３１】（Ａ）、（Ｂ）および（Ｃ）は、それぞれ、他の従来例を示し、キーを鍵穴に挿入した状態を示す構成説明図、キーでシリンダプラグを回動させた状態を示す構成説明図および図３１（Ｂ）の状態から更にシリンダプラグを回動させた状態を示す構成説明図である。
【図３２】上記他の従来例におけるシリンダ錠を示す構成説明図である。
【符号の説明】
【００２５】
１          シリンダ錠
２          シリンダ胴
４，５      胴穴
４ａ，５ａ  プラグ穴
６          シリンダプラグ
７          鍵穴
７ａ        開放端
８          オーナーキー（ＯＷＫ）
１０，１０’二ケ所のコラム
１１，１１’残りのコラム
１２        コンストラクションマスターキー（ＣＭＫ）
２０        上タンブラ
２１        下タンブラ
３０，３１，３３，３４，３５，３６、３０ａ，３７，３８，３９，４０
鍵山
Ｍ          端面  
【図１】
2005076286.tif 000003
【図２】
2005076286.tif 000004
【図３】
2005076286.tif 000005
【図４】
2005076286.tif 000006
【図５】
2005076286.tif 000007
【図６】
2005076286.tif 000008
【図７】
2005076286.tif 000009
【図８】
2005076286.tif 000010
【図９】
2005076286.tif 000011
【図１０】
2005076286.tif 000012
【図１１】
2005076286.tif 000013
【図１２】
2005076286.tif 000014
【図１３】
2005076286.tif 000015
【図１４】
2005076286.tif 000016
【図１５】
2005076286.tif 000017
【図１６】
2005076286.tif 000018
【図１７】
2005076286.tif 000019
【図１８】
2005076286.tif 000020
【図１９】
2005076286.tif 000021
【図２０】
2005076286.tif 000022
【図２１】
2005076286.tif 000023
【図２２】
2005076286.tif 000024
【図２３】
2005076286.tif 000025
【図２４】
2005076286.tif 000026
【図２５】
2005076286.tif 000027
【図２６】
2005076286.tif 000028
【図２７】
2005076286.tif 000029
【図２８】
2005076286.tif 000030
【図２９】
2005076286.tif 000031
【図３０】
2005076286.tif 000032
【図３１】
2005076286.tif 000033
【図３２】
2005076286.tif 000034